(57)【特許請求の範囲】
【請求項１】
発泡ポリスチレン部材からなる床下、側壁、天井の分割片が互いに接着剤で接合されて室内全体を囲むように形成し、前記床下の下側に合板または樹脂板からなる底板を接合し、前記側壁と前記天井の外側を炭素繊維入りの強化モルタル層で覆ったドームと、
前記ドームの外径より大きな外径を有する穴を掘り下げ、前記穴に径が１５〜３０ｃｍの均一な玉石または径が１０〜３０ｃｍの均一な球体を敷き詰めた改良地盤と、が備えられ、前記ドームが前記改良地盤の上にスライド可能に載置されることを特徴とするドーム型シェルター。
【請求項２】
前記改良地盤の球体は、硬質ゴムであることを特徴とする請求項１に記載のドーム型シェルター。
【発明の詳細な説明】
【技術分野】
【０００１】
本発明は、免振構造を有するドーム型シェルターに関する。
【背景技術】
【０００２】
発泡ポリスチレンは、一般には発泡スチロールまたはＥＰＳ（Ｅｘｐａｎｄａｂｌｅ  Ｐｏｌｙ  Ｓｔｙｒｅｎｅ）と呼ばれる素材で、ブタンはやペンタンなどの発泡剤を含んだポリスチレン樹脂を、例えば金型に入れて蒸気で約５０倍〜１００倍程度に膨張させたものである。９８％が空気で、軽量であり、断熱性に優れ、強度がある。詳細には、重さが約２０ｋｇ／ｍ３、強度は約５０００ｋｇ／ｍ２である。つまり軽くて１平方メートルあたり５トンの重量に耐える。このような素材で構成されたドームは、保温性があり、衝撃にも強く、居住性にも優れる。衝撃力が分散されるので、緩衝材として有効であり、例えば、スポーツ競技用のヘルメットなどにも適用されていることでも知られる。【０００３】
発泡ポリスチレン製のドームには、堅固な基礎を有する耐震構造が採用されている。例えば、特許文献１に示す組立式ドームの基礎は、図４に示すように、１つが約２００ｋｇのコンクリートブロック８０が連結され、地面７０に環状に敷設される。コンクリートブロック側面の凹部に、ドーム６０を構成する発泡ポリスチレン部材１の先端が嵌め込まれる。そして、コンクリートブロックの内側は、防湿シートなどが敷かれコンクリート８２で固められる。このような構造は木造建築の布基礎やべた基礎に相当するもので、地震があっても揺れに耐える構造である。つまり、地震のとき、大きく揺れるが倒壊するような心配はない。しかし、ドームを倉庫などとして使用する場合、揺れによってドーム内の棚に積まれた物品が落下する恐れはある。また、ドームを避難用シェルターとして使用する場合、揺れは避難した人を不安にする。発泡ポリスチレン製のドームには、衝撃に強い特性に加えて、地震の時に揺れないようにすることが求められている。
【特許文献１】特開平２００４−２１１４４４号公報
【発明の開示】
【発明が解決しようとする課題】
【０００４】
本発明は上記問題点を解決するためになされたもので、その目的は、免振構造を有するドーム型シェルターを提供することにある。
【課題を解決するための手段】
【０００５】
本発明によるドーム型シェルターは、発泡ポリスチレン部材からなる床下、側壁、天井の分割片が互いに接着剤で接合されて室内全体を囲むように形成し、前記床下の下側に合板または樹脂板からなる底板を接合し、前記側壁と前記天井の外側を炭素繊維入りの強化モルタル層で覆ったドームと、前記ドームの外径より大きな外径を有する穴を掘り下げ、前記穴に径が１５〜３０ｃｍの均一な玉石または径が１０〜３０ｃｍの均一な球体を敷き詰めた改良地盤と、が備えられ、前記ドームが前記改良地盤の上にスライド可能に載置されることを特徴とする。
【０００６】
前記改良地盤の球体は、硬質ゴムであることを特徴とする。
【発明の効果】
【０００７】
本発明による請求項１のドーム型シェルターによれば、均一の球体が敷き詰められた改良地盤は、球体が地震の横揺れを吸収するからドームの揺れを小さくできる。また、改良地盤が左右に動いても底板と改良地盤の間がスライドするから、ドームの動きがわずかである。床下、側壁、天井を発泡ポリスチレン部材で形成し、殻のような閉構造としたので、適度なクッション性と強度により地震の衝撃がドーム全体に分散され、ドーム内の避難者や保管物への衝撃を小さくできる。【０００８】
本発明による請求項２によれば、地震の際、玉石が互いに接触した箇所が動いて、揺れを効果的に吸収できる。硬質ゴムの球体は、地震の横揺れと縦揺れの両方の振動を効果的に吸収できる。なお、均一な球体は、改良地盤の表面を平坦にするのにも都合がよい。
【図面の簡単な説明】
【０００９】
【図１】本発明によるドーム型耐震シェルターの断面図である。（実施例１）
【図２】ドーム型耐震シェルターの平面図である。（実施例１）
【図３】底板の斜視図である。（実施例１）
【図４】従来のドームの一構成例を示す断面図である。
【符号の説明】
【００１０】
１    発泡ポリスチレン
２    強化モルタル層
３    底板
４    コンクリート層
５    玉石
６    床
７    コンクリート型枠用合板
１０    天井
１５    天井分割片
２０    側壁
２５    側壁分割片
３０    床下
４０    改良地盤
５０    ドーム（本実施例）
６０    ドーム（従来例）
６５    横風
７０    地面
８０    コンクリートブロック
８２    コンクリート
１００    ドーム型シェルター
【発明を実施するための最良の形態】
【００１１】
本発明の実施例を図面によって詳細に説明する。
【実施例】
【００１２】
図１は、本発明によるドーム型シェルターの断面図である。ドーム型シェルター１００は、発泡ポリスチレン部材１の分割片で構成されたドーム５０が、玉石５で構成された改良地盤４０の上に載置されたものである。ドーム５０は、床下３０、側壁２０、天井１０が室内を囲む閉構造で、改良地盤４０と接触する底部には、底板３が設けられている。ドーム５０を構成する発泡ポリスチレン部材１の厚さは、積雪なども考慮して２０ｃｍとした。その外部を２ｃｍ程度の厚さの強化モルタル層２で覆っている。強化モルタル層２は、モルタルに炭素繊維を混ぜて衝撃性やひび割れを防止するとともに、発泡ポリスチレン１との接着性をよくするため、ポリアクリル酸エステルやポリメタクリル酸エステル等のアクリル樹脂系の接着剤を混ぜたものである。【００１３】
底板３は、改良地盤４０とドーム５０がスライド可能となるように、ここではコンクリート型枠用合板を使用した。コンクリート型枠用合板は、コンクリートの形枠に使用され、厚さは６〜９ｍｍである。底板３の材料としては、これに限らず樹脂製としてもよい。床下３０の上部には、コンクリート層４が設けられ、この上に床６が設けられる。床６の下側は、配線、配管の空間にもなる。【００１４】
地面７０に深さ５０ｃｍ程度の円形の穴が掘られ、ここに玉石５が敷き詰められて改良地盤４０が形成される。玉石５は径が１５〜３０ｃｍの均一な丸石を使用している。一般に栗石は、径が１０〜１５ｃｍの丸石で、砂利は径が０．５〜８ｃｍの石、転石は径が３０ｃｍ以上の石を指す。栗石や砂利は流動しやすく、転石は地震の際の振動が効果的に吸収されない。改良地盤４０は、玉石５に限らず、適度な硬さと弾力のある硬質ゴムの球体なども適する。その径は、１０〜３０ｃｍ程度が好ましい。【００１５】
図２は、ドーム型シェルターの平面図である。図２は、太線で示す屋根の部分を切り開き、その右下側の側壁の部分は水平に切断して、ドーム５０内部を図示している。ドーム５０の直径は約７ｍで、改良地盤４０の直径は、ドーム５０の直径より１ｍ大きくして、約８ｍとした。ドーム５０の外殻は、破線で示すように、１０個の側壁分割片２５と天井分割片１５からなる。各分割片は接着剤で接合され、その外側は強化モルタル層２で覆っている。なお、側壁分割片２５と天井分割片１５を１体化して１つの分割片としてもよい。なお、図示しないが、床下３０も複数の分割片が接着されて構成される。【００１６】
図３は、底板の斜視図である。底板３は、コンクリート型枠用合板７で作られた分割片によって構成される。各分割片は、補強テープと接着剤で接続される。底板３は、その上部の発泡ポリスチレン部材１の床下３０と接着剤で結合される。
【００１７】
ドーム型シェルター１００は改良地盤４０の上に戴置したものであるが、横風で浮き上げることはない。図１に示すように、横風６５の流れはドーム５０の屋根を押さえつけるように流れるからである。なお、ドーム５０の重量は、強化モルタル層の厚さにもよるが、モルタルの比重を２．０とすると、本実施例では小型乗用車並の約７００ｋｇである。地震などで位置がずれた場合でも、ジャッキアップして、コロを使用して元の位置に容易に戻すことができる。
【産業上の利用可能性】
【００１８】
本発明は、本発明によるドーム型シェルターは、免振構造を採用したので、住宅用に限らず、保管倉庫用などにも好適である。
【図１】
0004792610.tif 000002
【図２】
0004792610.tif 000003
【図３】
0004792610.tif 000004
【図４】
0004792610.tif 000005